(57)【要約】　【課題】　会話モード中におけるリモート切替信号の検知を禁止し、会話モードからファクシミリモードへ勝手に切替わるのを防止して、リモート切替機能の信頼性を向上させることのできるファクシミリ装置およびその通信方法を提供する。【解決手段】　受信側端末のＮＣＵ７でリンギング信号を検知後、予め設定した受信側端末の受信モードを受信モード検知部10で検知する。電話モードの場合は、オフフック検知部９でオフフック検知後、タイマ監視部11とリモート切替信号検知部12とで所定時間リモート切替信号の検知を行い、検知されなかった場合は、リモート切替禁止措置を行う。一方、自動切替モードの場合は、直流閉結後、ＣＮＧ信号検知部８で所定時間ＣＮＧ信号を検知する。ＣＮＧ信号を検知せずにオフフックを検知した場合は、所定時間リモート切替信号の検知を行い、検知されなかった場合は、リモート切替禁止措置を行うように構成する。【選択図】　　　図１
2004129291.tif 000002
【特許請求の範囲】
【請求項１】
　電話機能とファクシミリ機能とを兼ね備えたファクシミリ装置において、
　受信時における受信モードを受信形態に応じて自動的に切替える自動切替モードか電話通信を優先する電話モードかを予め設定しておき、該設定された受信モードの選択結果を検知する受信モード検知手段と、
　自端末のオフフックを検知するオフフック検知手段と、
　相手局からのリモート切替信号の受信の有無を検知するリモート切替信号検知手段と、
　受信時に相手局からのＣＮＧ信号の受信の有無を検知するＣＮＧ信号検知手段と、
　前記ＣＮＧ信号またはリモート切替信号の検知時間をタイマで所定時間内に制限するタイマ監視手段と、
　会話モード中の所定時間内にリモート切替信号が検知されない場合は、会話モードからファクシミリモードへ通信モードが切替わるのを禁止するリモート切替禁止手段と、
　が設けられ、
　予め設定した受信モードに応じて受信処理を行い、会話モード通信中に相手局からのリモート切替信号によるファクシミリモードへの変更を禁止するようにしたことを特徴とするファクシミリ装置。
【請求項２】
　請求項１記載のファクシミリ装置において、
　前記リモート切替禁止手段による通信モードの切替え禁止後、当該会話モードの通信終了時にリモート切替禁止措置を自動的に解除するリモート切替禁止解除手段が設けられたことを特徴とするファクシミリ装置。
【請求項３】
　請求項１記載のファクシミリ装置を用いたファクシミリ装置の通信方法において、
　自動切替モードにおける受信時に、相手局が非音声端末の場合に発するＣＮＧ信号を所定時間検知するＣＮＧ信号検知工程と、
　所定時間内にＣＮＧ信号を検知しない場合に、着呼ベルを鳴らして自端末のオフフックの有無を検知するオフフック検知工程と、
　オフフックの検知後、相手局から通信モードの切替えを指示するリモート切替信号の有無を所定時間検知するリモート切替信号検知工程と、
　所定時間内にリモート切替信号を検知しない場合は、以後の会話モード中のリモート切替え動作を禁止するリモート切替禁止工程と、
　を含むことを特徴とするファクシミリ装置の通信方法。
【請求項４】
　請求項１記載のファクシミリ装置を用いたファクシミリ装置の通信方法において、
　電話モードにおける受信時に、自端末のオフフックの有無を検知するオフフック検知工程と、
　オフフックの検知後、相手局から通信モードの切替えを指示するリモート切替信号の有無を所定時間検知するリモート切替信号検知工程と、
　所定時間内にリモート切替信号を検知しない場合は、以後の会話モード中のリモート切替え動作を禁止するリモート切替禁止工程と、
　を含むことを特徴とするファクシミリ装置の通信方法。
【発明の詳細な説明】
【技術分野】
【０００１】
　本発明は、ファクシミリ装置およびその通信方法に関し、特に、電話機能とファクシミリ機能とを兼用しているファクシミリ装置およびその通信方法に関する。
【背景技術】
【０００２】
　従来、画情報を回線を通じて相手端末へ伝送するファクシミリ装置が多用されているが、画情報の他に音声情報をも送受信可能なファクシミリ装置が普及しつつある。すなわち、このファクシミリ装置には、ファクシミリ機能と電話機能とを有しており、通信モードであるファクシミリモードと会話モードとを相手端末から送られてくるリモート切替信号によりリモート切替えすることにより、１本の通信回線で２種類の情報を選択的に送受信できるものであった（例えば特許文献１乃至３参照）。
【特許文献１】特開昭６３−２８４９７０号公報
【特許文献２】特開平１−２８０９５５号公報
【特許文献３】特開平３−１８７５６１号公報
【発明の開示】
【発明が解決しようとする課題】
【０００３】
　しかしながら、上記した従来のファクシミリ装置にあっては、例えば、ファクシミリ通信形態がエンド・ツ・エンド（ｅｎｄ　ｔｏ　ｅｎｄ）形のように、送受信端末の相互間における音声会話中に、実際には発していない会話モードからファクシミリモードへのリモート切替信号を誤検出する事故が度々発生している。
【０００４】
　このため、従来のファクシミリ装置は、音声会話中に勝手に会話モードからファクシミリモードへ切替わってしまうという問題があった。
【０００５】
　本発明は、上記従来の課題に鑑みてなされたものであり、会話モード中におけるリモート切替信号の検知を禁止し、会話モードからファクシミリモードへ勝手に切替わるのを防止して、リモート切替機能の信頼性を向上させたファクシミリ装置およびその通信方法を提供することを目的とする。
【課題を解決するための手段】
【０００６】
　請求項１記載の発明は、電話機能とファクシミリ機能とを兼ね備えたファクシミリ装置において、受信時における受信モードを受信形態に応じて自動的に切替える自動切替モードか電話通信を優先する電話モードかを予め設定しておき、該設定された受信モードの選択結果を検知する受信モード検知手段と、自端末のオフフックを検知するオフフック検知手段と、相手局からのリモート切替信号の受信の有無を検知するリモート切替信号検知手段と、受信時に相手局からのＣＮＧ信号の受信の有無を検知するＣＮＧ信号検知手段と、前記ＣＮＧ信号またはリモート切替信号の検知時間をタイマで所定時間内に制限するタイマ監視手段と、会話モード中の所定時間内にリモート切替信号が検知されない場合は、会話モードからファクシミリモードへ通信モードが切替わるのを禁止するリモート切替禁止手段と、が設けられ、予め設定した受信モードに応じて受信処理を行い、会話モード通信中に相手局からのリモート切替信号によるファクシミリモードへの変更を禁止するようにしたことを特徴とする。
【０００７】
　請求項２記載の発明は、請求項１記載のファクシミリ装置において、前記リモート切替禁止手段による通信モードの切替禁止後、当該会話モードの通信終了時にリモート切替禁止措置を自動的に解除するリモート切替禁止解除手段が設けられたことを特徴とする。
【０００８】
　請求項３記載の発明は、請求項１記載のファクシミリ装置を用いたファクシミリ装置の通信方法において、自動切替モードにおける受信時に、相手局が非音声端末の場合に発するＣＮＧ信号を所定時間検知するＣＮＧ信号検知工程と、所定時間内にＣＮＧ信号を検知しない場合に、着呼ベルを鳴らして自端末のオフフックの有無を検知するオフフック検知工程と、オフフックの検知後、相手局から通信モードの切替えを指示するリモート切替信号の有無を所定時間検知するリモート切替信号検知工程と、所定時間内にリモート切替信号を検知しない場合は、以後の会話モード中のリモート切替動作を禁止するリモート切替禁止工程と、を含むことを特徴とする。
【０００９】
　請求項４記載の発明は、請求項１記載のファクシミリ装置を用いたファクシミリ装置の通信方法において、電話モードにおける受信時に、自端末のオフフックの有無を検知するオフフック検知工程と、オフフックの検知後、相手局から通信モードの切替えを指示するリモート切替信号の有無を所定時間検知するリモート切替信号検知工程と、所定時間内にリモート切替信号を検知しない場合は、以後の会話モード中のリモート切替動作を禁止するリモート切替禁止工程と、を含むことを特徴とする。
【００１０】
　請求項１、３または４記載のファクシミリ装置およびその通信方法では、受信モード検知手段により予め受信側端末で設定された受信モードが電話モードか自動切替モードであるかを検知する。電話モードの場合は、オフフック検知手段で自端末のオフフックを検知した後、タイマ監視手段とリモート切替信号検知手段とにより、所定時間リモート切替信号の検知を行う。その間、リモート切替信号を検知しなかった場合は、リモート切替禁止手段にリモート切替動作を行わないようにする。このため、電話モードにより受信処理された会話モード中にリモート切換信号の誤受信によるファクシミリモードへの切替えが防止される。
【００１１】
　また、自動切替モードの場合は、直流回路閉結後、タイマ監視手段とＣＮＧ信号検知手段とにより、所定時間ＣＮＧ信号の検知を行う。その間、ＣＮＧ信号を検知しなかった場合は、オフフック検知手段でオフフック検知後、再度、タイマ監視手段とリモート切替信号検知手段とにより、所定時間リモート切替の検知を行う。その間、リモート切替信号を検知しなかった場合は、リモート切替禁止手段にリモート切替動作を行わないようにする。このため、自動切替モードにより受信処理された会話モード中にリモート切換信号の誤受信によるファクシミリモードへの切替えが防止される。
【００１２】
　請求項２記載のファクシミリ装置では、リモート切替禁止手段でリモート切替禁止措置後、会話モードの通信終了と同時にリモート切替禁止解除手段により禁止措置が自動的に解除される。このため、受信側端末のオペレータは、リモート切替禁止措置が為されても、各通信毎に確実にクリアされるので、これを１通信毎に解除する手間が省けると共に、解除のし忘れ等により、次の通信モードにリモート切替禁止措置が持ち越されることがなくなり、通信の信頼性が向上する。
【発明の効果】
【００１３】
　請求項１、３または４記載のファクシミリ装置およびその通信方法によれば、受信時に受信モードを検知し、電話モードの場合は、オフフック検知後、所定時間リモート切替信号を検知しなかった場合は、リモート切替禁止手段により会話モード中のリモート切替動作を禁止する。このため、電話モードで受信された会話モード中に、リモート切換信号の誤受信による会話モードからファクシミリモードへの勝手なモード切替えを防止することができる。
【００１４】
　また、自動切替モードの場合は、直流回路閉結後、所定時間ＣＮＧ信号の検知を行い、ＣＮＧ信号を検知しなかった場合は、オフフック検知後、所定時間リモート切替を検知しなかった場合は、リモート切替禁止手段により会話モード中のリモート切替動作を禁止する。このため、自動切替モードで受信された会話モード中に、リモート切換信号の誤受信による会話モードからファクシミリモードへの勝手なモード切替えを防止することができる。
【００１５】
　請求項２記載のファクシミリ装置によれば、請求項１記載のファクシミリ装置で、リモート切替禁止後、会話モードの通信終了と同時にリモート切替の禁止措置を自動的に解除する。このため、受信側端末のオペレータは、リモート切替禁止措置が行われても、各通信が終了するたびに確実にクリアされるため、オペレータが１通信毎に解除する手間が省け、解除のし忘れ等により、次の通信モードにリモート切替禁止措置が持ち越されることがなくなり、通信の信頼性が向上する。
【発明を実施するための最良の形態】
【００１６】
　以下、本発明の実施例を図面に基づいて説明する。
【００１７】
　図１は本発明の一実施例に係るファクシミリ装置のブロック構成図である。図において、本実施例のファクシミリ装置は、ＣＰＵ１、ＲＯＭ２、ＲＡＭ３、スキャナ部４、プロッタ部５、電話器６、ＮＣＵ７を備えており、更に本実施例の特徴的な構成としては、ＣＮＧ信号検知部８、オフフック検知部９、受信モード検知部10、タイマ監視部11、リモート切替信号検知部12を具備し、それらはシステムバス13で相互に接続されている。
【００１８】
　上記ＣＰＵ（Central Processing Unit)１は、以下に述べるファクシミリ装置の各部を制御するマイクロコンピュータである。
【００１９】
　上記ＲＯＭ（Read Only Memory) ２は、本実施例のファクシミリ装置のシーケンスを実行するためのプログラムが格納されている。
【００２０】
　上記ＲＡＭ（Random Access Memory) ３、はＣＰＵ１が制御を行うために必要なワークエリアや一時的な記憶エリアが形成されている。
【００２１】
　上記スキャナ部４は、ファクシミリの送信原稿画像を読み取るものである。
【００２２】
　上記プロッタ部５は、画像を記録紙に記録するものである。
【００２３】
　上記電話器６は、音声通信を行うためのハンドセットやハンドフリーで通話するマイクやスピーカが内蔵されたものなどで構成されており、会話モードでハンドセットを持ち上げるとオフフックとなり、ハンドセットを下すとオンフックとなる。
【００２４】
　上記ＮＣＵ（網制御部）７は、回線Ｌに接続され、発着信を行う際に所定の回線制御を行うものである。
【００２５】
　上記ＣＮＧ信号検知部８は、発呼側から発せられるコーリングトーン（ＣＮＧ）信号を検知するものであって、この信号を検知することによって、発呼側端末が非音声端末（ファクシミリ端末）であることが判明する。
【００２６】
　上記オフフック検知部９は、自端末で着信した後に会話モードを実行するため、ユーザがハンドセットを持ち上げたオフフック状態を検知するものである。
【００２７】
　上記受信モード検知部10は、相手方からの着信時における受信モードとして、会話を優先させて受信処理を行う電話モードか、あるいは相手方からの受信形態に応じて通信モードを切替える自動切替モードかを予めオペレータが選択しておき、その選択結果を検知して、その結果に基づいて受信処理を行うようにしたものである。
【００２８】
　タイマ監視部11は、現在時刻および任意の時点から所定時間が経過したことを知らせて時間管理するもので、本実施例では、リモート切替信号やＣＮＧ信号を所定時間検知する際に、タイマにより所定時間の管理を行うものである。
【００２９】
　リモート切替信号検知部12は、相手局から送られてくるリモート切替信号を検知するもので、このリモート切替信号の検知により通信モードを会話モードからファクシミリモードへ、あるいはその逆のモードへ切替えることができる。
【００３０】
　システムバス13は、上記各部間を接続してデータのやり取りを行う信号ラインである。
【００３１】
　次に、作用を説明する。
【００３２】
　図２は本発明の一実施例の動作を説明するフローチャートであり、図３はＣＮＧ信号の波形を示す図である。本実施例では、電話機能とファクシミリ機能とを兼ね備えたファクシミリ装置の相互間で、音声データあるいは画像データを使って通信が行われる。
【００３３】
　まず、図２に示すように、受信側端末のＮＣＵ７でリンギング信号を検知すると（ステップ１）、受信モード検知部10によって受信側端末のオペレータが予め設定しておいた受信モードを検知する（ステップ２）。本実施例では、この受信モードによってシステム動作が分岐し、それぞれ異った受信処理が為される。
【００３４】
　ここで、仮に受信モードが電話による会話を優先する電話モードに設定されているのを受信モード検知部10で検知した場合は、受信側端末の電話器６のオフフック検知を開始し、オフフック検知部９でオフフックが検知されるまで待機する（ステップ３）。オフフック検知後は、会話モードとなり、タイマ監視部11でタイマを所定時間（Ｔ１　）にセットして起動させ（ステップ４）、これと同時にリモート切替信号検知部12でリモート切替信号の検知を開始する（ステップ５）。
【００３５】
　そして、タイマ（Ｔ１　）がオーバーフローしたか否かを監視し（ステップ６）、オーバーフローする前にリモート切替信号検知部12でリモート切替信号を検知した場合は（ステップ７）、従来通り会話モードからファクシミリモードへの切替えを行う（ステップ８）。
【００３６】
　また、ステップ６および７でリモート切替信号を検知せずにタイマ（Ｔ１　）がオーバーフローした場合は、ＣＰＵ１がリモート切替信号検知部12に対してリモート切替信号の検知を禁止する信号を発して、以降は通信モードの切替え、すなわち会話モードからファクシミリモードへの切替えが起こらないように制御する（ステップ９）。
【００３７】
　そして、リモート切替を禁止した会話モードの通信終了後は（ステップ10）、ＣＰＵ１が上記のリモート切替信号検知部12に対するリモート切替禁止措置を自動的に解除するようにしたので、（ステップ11）、次回の通信時には、再びリモート切替信号の検出を正常に行うことができる。
【００３８】
　次に、ステップ２で予め設定された受信モードが自動切替モードである場合は、受信側端末のＮＣＵ７で直流回路を閉結した後（ステップ12）、呼び出し中である旨のメッセージを発呼側に流す（ステップ13）。そして、タイマ監視部11でタイマを所定時間（Ｔ２　）にセットして起動させ（ステップ14）、これと同時にＣＮＧ信号検知部８で発呼側が非音声端末であることを示すコーリングトーン（ＣＮＧ）信号の検知を開始する（ステップ15）。
【００３９】
　このＣＮＧ信号をＣＮＧ信号検知部８が検知する方法としては、種々の方法があるが、例えば、図３に示すように、１，１００ＨｚのＣＮＧ信号を所定時間監視するか、ＣＮＧ信号のオン／オフの変化であるカデンス（Ｃａｄｅｎｃｅ）を監視するなどして検知する方法が一般的に行われている。
【００４０】
　そして、再び図２に戻って、タイマ（Ｔ２　）がオーバーフローしたか否かを監視し（ステップ16）、オーバーフローする前にＣＮＧ信号を検知した場合は（ステップ17）、ファクシミリモードへ移行する（ステップ18）。
【００４１】
　また、ステップ16および17でＣＮＧ信号を検知せずにタイマ（Ｔ２　）がオーバーフローした場合は、受信側端末の着呼ベルを鳴らして電話の呼び出しが行われる（ステップ19）。これにより、受信側端末のオペレータがハンドセットを持ち上げてオフフックした後は（ステップ20）、会話モードとなるが、タイマ監視部11でタイマを所定時間（Ｔ３　）にセットして起動させ（ステップ21）、これと同時にリモート切替信号検知部12でリモート切替信号の検知を開始する（ステップ22）。
【００４２】
　そして、タイマ（Ｔ３　）がオーバーフローしたか否かを監視し（ステップ23）、オーバーフローする前にリモート切替信号を検知した場合は（ステップ24）、従来通り会話モードからファクシミリモードへの切替えが行われる（ステップ18）。
【００４３】
　また、ステップ23および24でリモート切替信号を検知せずにタイマ（Ｔ３　）がオーバーフローした場合は、ＣＰＵ１がリモート切替信号検知部12に対してリモート切替信号の検知を禁止する信号を発して、以降はファクシミリモードへの切替えが起こらないように制御する（ステップ25）。
【００４４】
　そして、リモート切替を禁止した会話モードの通信終了後は（ステップ26）、ＣＰＵ１が上記のリモート切替信号検知部12に対するリモート切替禁止措置を自動的に解除するようにしたので（ステップ27）、次回の通信時には、再びリモート切替信号の検出を正常に行うことができる。
【００４５】
　なお、上記した、本実施例のタイマ監視部11にセットするタイマ値としては、Ｔ１　、Ｔ２　、Ｔ３　があるが、この値は特に問わない。例えば、ＣＮＧ信号を検知する（Ｔ２　）の場合の目安としては、直流回路を閉結してから相手が非音声端末であるか否かを判断する最低必要時間として、図３に示すように、約３．５秒以上あれば良く、この程度が目安となる。
【００４６】
　以上述べたように、本実施例のファクシミリ装置は、会話モード中にリモート切替信号の検知を禁止して、リモート切替信号の誤検知により会話モードからファクシミリモードへ勝手に切替わってしまうことが防止可能となり、リモート切替機能の信頼性を向上させることができるようになった。
【産業上の利用可能性】
【００４７】
　以上のように、本発明にかかるファクシミリ装置およびその通信方法は、会話モード中におけるリモート切替信号の検知を禁止し、会話モードからファクシミリモードへ勝手に切替わるのを防止して、リモート切替機能の信頼性を向上させるという効果を有し、電話機能とファクシミリ機能とを兼用しているファクシミリ装置およびその通信方法として有用である。
【図面の簡単な説明】
【００４８】
【図１】本発明の一実施例に係るファクシミリ装置のブロック構成図である。
【図２】本発明の一実施例の動作を説明するフローチャートである。
【図３】ＣＮＧ信号の波形を示す図である。
【符号の説明】
【００４９】
　１　　ＣＰＵ
　２　　ＲＯＭ
　３　　ＲＡＭ
　４　　スキャナ部
　５　　プロッタ部
　６　　電話器
　７　　ＮＣＵ
　８　　ＣＮＧ信号検知部
　９　　オフフック検知部
　10　　受信モード検知部
　11　　タイマ監視部
　12　　リモート切替信号検知部
【図１】
2004129291.tif 000003
【図２】
2004129291.tif 000004
【図３】
2004129291.tif 000005
【手続補正書】
【提出日】平成15年11月28日(2003.11.28)
【手続補正１】
【補正対象書類名】特許請求の範囲
【補正対象項目名】全文
【補正方法】変更
【補正の内容】
【特許請求の範囲】
【請求項１】
　ファクシミリ機能を備えたファクシミリ装置において、
　ＣＮＧ信号の受信を検知するＣＮＧ信号検知手段と、
　会話モードとファクシミリモードとを互いに切替えるための信号である切替信号を検知する切替信号検知手段と、
　制御手段とを備え、
　前記制御手段は、リンギング信号の着信後の所定の時点から経過する所定時間である第１の所定時間内に、前記ＣＮＧ信号が検知されない場合に、前記会話モードへ移行し、さらに、前記会話モードへ移行後の所定の時間から経過する所定時間である第２の所定時間内に、前記切替信号が検知されない場合に、前記会話モードから前記ファクシミリモードへの切替えを禁止する制御を行うことを特徴とするファクシミリ装置。
【請求項２】
　請求項１記載のファクシミリ装置において、
　前記制御手段は、前記会話モードから前記ファクシミリモードへの切替えが禁止された後、前記会話モードの通信が終了したときに、前記会話モードから前記ファクシミリモードへの切替えの禁止を解除することを特徴とするファクシミリ装置。
【請求項３】
　ファクシミリ機能を兼ね備えたファクシミリ装置において、
　ＣＮＧ信号を所定時間検知するＣＮＧ信号検知工程と、
　所定時間内に前記ＣＮＧ信号を検知しない場合に、着呼ベルを鳴らす信号を送出し、オフフックの有無を検知するオフフック検知工程と、
　オフフックの検知後、会話モードとファクシミリモードとを互いに切替えるための信号である切替信号を所定時間検知する切替信号検知工程と、
　前記所定時間内に切替信号を検知しない場合は、以後の前記会話モードからファクシミリモードへの切替えを禁止するリモート切替禁止工程と、を含むことを特徴とするファクシミリ装置の通信方法。
【請求項４】
　ファクシミリ機能を備えたファクシミリ装置において、
　ＣＮＧ信号の受信を検知するＣＮＧ信号検知手段と、
　会話モードとファクシミリモードとを互いに切替えるための信号である切替信号を検知する切替信号検知手段と、
　制御手段とを備え、
　前記制御手段は、リンギング信号の着信に対して会話モードへ移行し、さらに、前記会話モードへ移行後の所定の時点から経過する所定時間内に、前記切替信号が検知されない場合に、前記会話モードから前記ファクシミリモードへの切替えを禁止する制御を行うことを特徴とするファクシミリ装置。
【請求項５】
　ファクシミリ機能を備えたファクシミリ装置において、
　ＣＮＧ信号の受信を検知するＣＮＧ信号検知手段と、
　オフフックを検出するオフフック検知手段と、
会話モードとファクシミリモードとを互いに切替えるための信号である切替信号を検知する切替信号検知手段と、
　制御手段とを備え、
　前記制御手段は、リンギング信号の着信後の所定の時点から経過する所定時間である第１の所定時間内に、前記ＣＮＧ信号が検知されない場合に、着呼ベルを鳴動させる信号を送出し、前記オフフック検知手段によってオフフックが検知されたときに、前記ファクシミリモードから前記会話モードへ移行させ、前記会話モードへ移行後の所定の時間から経過する所定時間である第２の所定時間内に、前記切替信号が検知されない場合に、前記会話モードから前記ファクシミリモードへの切替えを禁止する制御を行うことを特徴とするファクシミリ装置。
【請求項６】
　請求項５記載のファクシミリ装置において、
　前記制御手段は、前記会話モードから前記ファクシミリモードへの切替えが禁止された後、前記会話モードの通信が終了したときに、前記会話モードから前記ファクシミリモードへの切替えの禁止を解除することを特徴とするファクシミリ装置。
【手続補正２】
【補正対象書類名】明細書
【補正対象項目名】０００６
【補正方法】変更
【補正の内容】
【０００６】
　請求項１記載の発明は、ファクシミリ機能を備えたファクシミリ装置において、ＣＮＧ信号の受信を検知するＣＮＧ信号検知手段と、会話モードとファクシミリモードとを互いに切替えるための信号である切替信号を検知する切替信号検知手段と、制御手段とを備え、前記制御手段は、リンギング信号の着信後の所定の時点から経過する所定時間である第１の所定時間内に、前記ＣＮＧ信号が検知されない場合に、前記会話モードへ移行し、さらに、前記会話モードへ移行後の所定の時間から経過する所定時間である第２の所定時間内に、前記切替信号が検知されない場合に、前記会話モードから前記ファクシミリモードへの切替えを禁止する制御を行うことを特徴とする。
【手続補正３】
【補正対象書類名】明細書
【補正対象項目名】０００７
【補正方法】変更
【補正の内容】
【０００７】
　請求項２記載の発明は、請求項１記載のファクシミリ装置において、前記制御手段は、前記会話モードから前記ファクシミリモードへの切替えが禁止された後、前記会話モードの通信が終了したときに、前記会話モードから前記ファクシミリモードへの切替えの禁止を解除することを特徴とする。
【手続補正４】
【補正対象書類名】明細書
【補正対象項目名】０００８
【補正方法】変更
【補正の内容】
【０００８】
　請求項３記載の発明は、ファクシミリ機能を兼ね備えたファクシミリ装置において、ＣＮＧ信号を所定時間検知するＣＮＧ信号検知工程と、所定時間内に前記ＣＮＧ信号を検知しない場合に、着呼ベルを鳴らす信号を送出し、オフフックの有無を検知するオフフック検知工程と、オフフックの検知後、会話モードとファクシミリモードとを互いに切替えるための信号である切替信号を所定時間検知する切替信号検知工程と、前記所定時間内に切替信号を検知しない場合は、以後の前記会話モードからファクシミリモードへの切替えを禁止するリモート切替禁止工程と、を含むことを特徴とする。
【手続補正５】
【補正対象書類名】明細書
【補正対象項目名】０００９
【補正方法】変更
【補正の内容】
【０００９】
　請求項４記載の発明は、ファクシミリ機能を備えたファクシミリ装置において、ＣＮＧ信号の受信を検知するＣＮＧ信号検知手段と、会話モードとファクシミリモードとを互いに切替えるための信号である切替信号を検知する切替信号検知手段と、制御手段とを備え、前記制御手段は、リンギング信号の着信に対して会話モードへ移行し、さらに、前記会話モードへ移行後の所定の時点から経過する所定時間内に、前記切替信号が検知されない場合に、前記会話モードから前記ファクシミリモードへの切替えを禁止する制御を行うことを特徴とする。
　請求項５記載の発明は、ファクシミリ機能を備えたファクシミリ装置において、ＣＮＧ信号の受信を検知するＣＮＧ信号検知手段と、オフフックを検出するオフフック検知手段と、会話モードとファクシミリモードとを互いに切替えるための信号である切替信号を検知する切替信号検知手段と、制御手段とを備え、前記制御手段は、リンギング信号の着信後の所定の時点から経過する所定時間である第１の所定時間内に、前記ＣＮＧ信号が検知されない場合に、着呼ベルを鳴動させる信号を送出し、前記オフフック検知手段によってオフフックが検知されたときに、前記ファクシミリモードから前記会話モードへ移行させ、前記会話モードへ移行後の所定の時間から経過する所定時間である第２の所定時間内に、前記切替信号が検知されない場合に、前記会話モードから前記ファクシミリモードへの切替えを禁止する制御を行うことを特徴とする。
　請求項６記載の発明は、請求項５記載のファクシミリ装置において、前記制御手段は、前記会話モードから前記ファクシミリモードへの切替えが禁止された後、前記会話モードの通信が終了したときに、前記会話モードから前記ファクシミリモードへの切替えの禁止を解除することを特徴とする。
【手続補正６】
【補正対象書類名】明細書
【補正対象項目名】００１０
【補正方法】変更
【補正の内容】
【００１０】
　請求項１、３乃至５記載のファクシミリ装置およびその通信方法では、受信モード検知手段により予め受信側端末で設定された受信モードが電話モードか自動切替モードであるかを検知する。電話モードの場合は、オフフック検知手段で自端末のオフフックを検知した後、タイマ監視手段とリモート切替信号検知手段とにより、所定時間リモート切替信号の検知を行う。その間、リモート切替信号を検知しなかった場合は、リモート切替禁止手段にリモート切替動作を行わないようにする。このため、電話モードにより受信処理された会話モード中にリモート切換信号の誤受信によるファクシミリモードへの切替えが防止される。
【手続補正７】
【補正対象書類名】明細書
【補正対象項目名】００１２
【補正方法】変更
【補正の内容】
【００１２】
　請求項２または請求項６記載のファクシミリ装置では、リモート切替禁止手段でリモート切替禁止措置後、会話モードの通信終了と同時にリモート切替禁止解除手段により禁止措置が自動的に解除される。このため、受信側端末のオペレータは、リモート切替禁止措置が為されても、各通信毎に確実にクリアされるので、これを１通信毎に解除する手間が省けると共に、解除のし忘れ等により、次の通信モードにリモート切替禁止措置が持ち越されることがなくなり、通信の信頼性が向上する。
【手続補正８】
【補正対象書類名】明細書
【補正対象項目名】００１３
【補正方法】変更
【補正の内容】
【００１３】
　請求項１、３乃至５記載のファクシミリ装置およびその通信方法によれば、受信時に受信モードを検知し、電話モードの場合は、オフフック検知後、所定時間リモート切替信号を検知しなかった場合は、リモート切替禁止手段により会話モード中のリモート切替動作を禁止する。このため、電話モードで受信された会話モード中に、リモート切換信号の誤受信による会話モードからファクシミリモードへの勝手なモード切替えを防止することができる。
【手続補正９】
【補正対象書類名】明細書
【補正対象項目名】００１５
【補正方法】変更
【補正の内容】
【００１５】
　請求項２または請求項６記載のファクシミリ装置によれば、請求項１記載のファクシミリ装置で、リモート切替禁止後、会話モードの通信終了と同時にリモート切替の禁止措置を自動的に解除する。このため、受信側端末のオペレータは、リモート切替禁止措置が行われても、各通信が終了するたびに確実にクリアされるため、オペレータが１通信毎に解除する手間が省け、解除のし忘れ等により、次の通信モードにリモート切替禁止措置が持ち越されることがなくなり、通信の信頼性が向上する。